(57)【要約】【課題】ディスプレイの表示光を光源に利用することでコストを削減でき、且つ動画との連携によりライティングの雰囲気を楽しむことができる発光装飾体を提供する。【解決手段】発光装飾体１は、ディスプレイの表示光が入射される受光部１ａと、この受光部から入射された光を導く光導波路１ｂと、光導波路を介して伝達された光が出射されて発光する発光部１ｃと、を備える。この発光装飾体１を、動画を表示する第１の表示領域２ｃと、イルミネーション用の表示光を発する第２の表示領域２ｂとを有するディスプレイパネル２ａの第２の表示領域上に載置または設置し、ディスプレイの表示光を光源に利用して発光させることを特徴とする。【選択図】図１
2014037063.tif 000002
【特許請求の範囲】
【請求項１】
ディスプレイの表示光が入射される受光部と、
この受光部から入射された光を導く光導波路と、
前記光導波路を介して伝達された光が出射されて発光する発光部と、を具備することを特徴とする発光装飾体。
【請求項２】
前記受光部は、ディスプレイパネルにおけるイルミネーション用領域から発せられた特定の入射角の光を通す透孔を有する台座であることを特徴とする請求項１に記載の発光装飾体。
【請求項３】
前記受光部は、ディスプレイパネルのイルミネーション用領域上に載置または設置され、前記ディスプレイパネルにおける動画領域で表示される動画の動きや変化に対応して、当該ディスプレイパネルにおけるイルミネーション用領域の光の色、輝度、点滅間隔の少なくともいずれか１つが変化する表示光が入射されることを特徴とする請求項１または２に記載の発光装飾体。
【請求項４】
前記光導波路は、前記発光装飾体の透光性の本体内部、前記発光装飾体の内部に形成され前記受光部に光学的に結合された切り込みまたは溝、あるいは前記発光装飾体の内部に設けられた光ファイバのいずれかであることを特徴とする請求項１乃至３いずれか１つの項に記載の発光装飾体。
【請求項５】
前記発光部の表面は、前記光導波路を介して伝達された光を出射する凹部、凸部、溝、リブ、切り込み及び突起の少なくとも一つを含むことを特徴とする請求項１乃至４いずれか１つの項に記載の発光装飾体。
【請求項６】
動画を表示する第１の表示領域と、イルミネーション用の表示光を発する第２の表示領域とを有するディスプレイパネルの前記第２の表示領域上に載置または設置され、ディスプレイの表示光を光源に利用して発光する発光装飾体であって、
前記ディスプレイからの光が入射される受光部と、
この受光部から入射された光を導く光導波路と、
前記光導波路を介して伝達された光が出射されて発光する発光部と、を備え、
前記第１の表示領域で動画を表示しつつ、前記第２の表示領域からイルミネーション用の表示光を発し、前記第２の表示領域の表示光を前記受光部から前記光導波路を経由して前記発光部に導き、発光させることを特徴とする発光装飾体。
【請求項７】
前記ディスプレイは、予め記憶されたプログラムに従って、前記第１の表示領域に動画を表示し、且つ前記第２の表示領域からイルミネーション用の表示光を発することを特徴とする請求項６に記載の発光装飾体。
【請求項８】
前記ディスプレイは、予め記憶されたプログラムに従って、前記第１の表示領域に動画を表示し、且つ前記第２の表示領域からイルミネーション用の表示光を発し、タッチパネル、赤外線センサ、加速度センサ、ジャイロ及びＧＰＳユニットの少なくともいずれか１つからの信号に基づいて、前記第１、第２の表示領域に表示する動画及びイルミネーション用の表示光が変化することを特徴とする請求項６に記載の発光装飾体。
【発明の詳細な説明】
【技術分野】
【０００１】
本発明は、ディスプレイの表示光を光源に利用して発光する発光装飾体に関するもので、例えばスマートフォンなどの電子機器のディスプレイパネル上に載置あるいは設置し、ディスプレイで動画などの画像を表示しつつ、この画像の動きや変化に対応して色や輝度が変化する発光装飾体に関するものである。
【背景技術】
【０００２】
従来、発光ダイオード（ＬＥＤ：Light Emitting Diode）やＥＬ（Electro-Luminescence）シートなどの発光体を用いた様々な発光装飾体が提案されている。例えば、特許文献１には、透明又は半透明なピースを立体的に係合積層して光のイルミネーションにより美観を高めた立体ジクソーパズルが開示されている。
【０００３】
この立体ジクソーパズルでは、台座部の下部に光源となる発光ダイオードを設け、制御部により複数色の光を複数の発光パターンで発光させている。光導体としての軸体を複数に分割したことで、この軸体の端面や隙間から光が外部に発散されて光の乱反射が発生し、その光のイルミネーションによりライトアップされる。
【０００４】
また、特許文献２には、光ファイバを用いて発光させる光装飾体が開示されている。この特許文献２の光装飾体は、複数の光ファイバを集合させて動物、植物その他適宜の物の形象を形成し、その複数の光ファイバに導光系を付与するとともに、暗所で形象を浮かび上がらせる光漏洩部となる溝、凹部、切欠及び曲げ部延長部を形成している。
【０００５】
そして、導光系に光を供給する光源を設け、この光源から出る光が導光系を介して光ファイバの光漏洩部で外部に漏洩されることで、形象を暗所で浮かび上がらせるようにしている。
【０００６】
更に、特許文献３には、携帯電話からの電波を受信して電圧に変換する検波手段と、検波手段の電圧を増幅する増幅手段と、増幅手段により制御される表示手段を有した携帯電話の着信表示装置において、表示手段として、複数の発光素子をループバンド内に埋設したものを用いる携帯電話用アクセサリが記載されている。
【０００７】
この携帯電話用アクセサリでは、携帯電話の発着信を複数の発光素子の光の変化を以て報知することができ、所持者の趣好心を満足させることができる。
【先行技術文献】
【特許文献】
【０００８】
【特許文献１】実用新案登録第３１６７９９７号
【特許文献２】特開２００５−２３５７２４号公報
【特許文献３】特開２００１−２３１６２４号公報
【発明の概要】
【発明が解決しようとする課題】
【０００９】
しかしながら、上述した特許文献１乃至３に開示されている立体ジクソーパズル、光装飾体及び携帯電話用アクセサリ（ストラップ）などは、いずれも光源とその電源が必要でありコストが高くなる。また、基本的に予め定めた位置や色、点灯パターンで発光するだけであり、ライティングの雰囲気を向上させたり装飾性を高めたりするのには限界がある。
【００１０】
本発明は、上記のような事情に鑑みてなされたもので、その目的とするところは、ディスプレイの表示光を光源に利用することでコストを削減でき、且つ動画との連携によりライティングの雰囲気を盛り上げることができる発光装飾体を提供することにある。
【課題を解決するための手段】
【００１１】
本発明に係る発光装飾体においては、ディスプレイの表示光が入射される受光部と、この受光部から入射された光を導く光導波路と、前記光導波路を介して伝達された光が出射されて発光する発光部と、を具備することで、上述した課題を解決した。
【００１２】
また、前記受光部は、ディスプレイパネルにおけるイルミネーション用領域から発せられた特定の入射角の光を通す透孔を有する台座であることで、同じく上述した課題を解決した。
【００１３】
更に、前記受光部は、ディスプレイパネルのイルミネーション用領域上に載置または設置され、前記ディスプレイパネルにおける動画領域で表示される動画の動きや変化に対応して、当該ディスプレイパネルにおけるイルミネーション用領域の光の色、輝度、点滅間隔の少なくともいずれか１つが変化する表示光が入射されることで、同じく上述した課題を解決した。
【００１４】
更にまた、前記光導波路は、前記発光装飾体の透光性の本体内部、前記発光装飾体の内部に形成され前記受光部に光学的に結合された切り込みまたは溝、あるいは前記発光装飾体の内部に設けられた光ファイバのいずれかであることで、同じく上述した課題を解決した。
【００１５】
加えて、前記発光部の表面は、前記光導波路を介して伝達された光を出射する凹部、凸部、溝、リブ、切り込み及び突起の少なくとも一つを含むことで、同じく上述した課題を解決した。
【００１６】
その他、本発明に係る発光装飾体においては、動画を表示する第１の表示領域と、イルミネーション用の表示光を発する第２の表示領域とを有するディスプレイパネルの前記第２の表示領域上に載置または設置され、ディスプレイの表示光を光源に利用して発光する発光装飾体であって、前記ディスプレイからの光が入射される受光部と、この受光部から入射された光を導く光導波路と、前記光導波路を介して伝達された光が出射されて発光する発光部と、を備え、前記第１の表示領域で動画を表示しつつ、前記第２の表示領域からイルミネーション用の表示光を発し、前記第２の表示領域の表示光を前記受光部から前記光導波路を経由して前記発光部に導き、発光させることで、同じく上述した課題を解決した。
【００１７】
また、前記ディスプレイは、予め記憶されたプログラムに従って、前記第１の表示領域に動画を表示し、且つ前記第２の表示領域からイルミネーション用の表示光を発することで、同じく上述した課題を解決した。
【００１８】
更に、前記ディスプレイは、予め記憶されたプログラムに従って、前記第１の表示領域に動画を表示し、且つ前記第２の表示領域からイルミネーション用の表示光を発し、タッチパネル、赤外線センサ、加速度センサ、ジャイロ及びＧＰＳユニットの少なくともいずれか１つからの信号に基づいて、前記第１、第２の表示領域に表示する動画及びイルミネーション用の表示光が変化することで、同じく上述した課題を解決した。
【発明の効果】
【００１９】
本発明に係る発光装飾体によれば、ディスプレイの表示光を光源に利用することで発光素子や電源を不要にしてコストを削減でき、且つ動画との連携によりライティングの雰囲気を盛り上げることができる。
【００２０】
また、発光装飾体の発光と動画との連携により、単に発光素子を発光させたり、点滅させたりするよりもライティングの雰囲気を向上することができる。これにより、見る者に対してより興味深い印象を与えることができ、装飾性や美感を高めることができる。
【００２１】
更に、移動通信機器、携帯情報端末及び携帯電子機器などが備えている各種センサや機器の出力を利用して、発光装飾体が異なる色や輝度で発光する、点滅の間隔が変化する、動画の動きや状態を制御する、表示する動画を変更するなどして連携させることにより、ライティングの雰囲気をより盛り上げることができる。
【図面の簡単な説明】
【００２２】
【図１】本発明の第１の実施形態に係る発光装飾体について説明するための斜視図である。
【図２】本発明の第１の実施形態に係る発光装飾体をスマートフォンに載置して発光させた状態を示す斜視図である。
【図３】本発明の第１の実施形態に係る発光装飾体の断面図である。
【図４】本発明の第１の実施形態に係る発光装飾体の発光状態を示す断面図である。
【図５】図１乃至図４に示した発光装飾体における発光部の構成例について説明するための断面図である。
【図６】図１乃至図４に示した発光装飾体における発光部の種々の構成例を示す断面図である。
【図７】スマートフォンのディスプレイを見る場合の光路と、発光装飾体をスマートフォンに載置して鑑賞する場合の光路とを比較して示す側面図である。
【図８】スマートフォンの概略構成を示すブロック図である。
【図９】発光装飾体を鑑賞する場合のスマートフォンの操作例を示すフローチャートである。
【図１０】発光装飾体を鑑賞する場合のスマートフォンの他の操作例を示すフローチャートである。
【図１１】本発明の第２の実施形態に係る発光装飾体について説明するための図である。
【図１２】本発明の第３の実施形態に係る発光装飾体について説明するための図である。
【図１３】本発明の第４の実施形態に係る発光装飾体について説明するための図である。
【図１４】本発明の第５の実施形態に係る発光装飾体について説明するための図である。
【図１５】本発明の第６の実施形態に係る発光装飾体について説明するための図である。
【図１６】本発明の第７の実施形態に係る発光装飾体について説明するための図である。
【発明を実施するための形態】
【００２３】
以下に、本発明を実施するための形態を、図面を参照して説明する。
【００２４】
［第１の実施形態］
図１及び図２はそれぞれ、本発明の第１の実施形態に係る発光装飾体を示しており、東京スカイツリー（登録商標）を模した携帯ストラップやキーホルダなどのアクセサリを例に取って示している。
【００２５】
このアクセサリ（発光装飾体）は、携帯電話やスマートフォンなどの移動通信機器、ＰＤＡ（Personal Digital Assistants）やタブレット端末などの携帯情報端末、あるいはゲーム機などの携帯電子機器におけるディスプレイの表示光を光源に利用して発光するものである。以降では、これらの中から代表的にスマートフォンを用いる場合を例に取って説明する。
【００２６】
図１及び図２に示すように、このアクセサリ１は、スマートフォン２のディスプレイパネル２ａ上に載置することで、ディスプレイで街の夜景の動画などを表示しつつ、この街の明かりの変化や自動車の動きに対応して東京スカイツリー（登録商標）のライトアップの色や輝度、点滅間隔などが変化するイルミネーションが楽しめるようになっている。
【００２７】
すなわち、図３及び図４に示すように、アクセサリ１の本体は、透光性（透明または半透明）の樹脂やガラスなどの材料で形成され、ディスプレイからの光が入射される受光部１ａと、この受光部１ａから入射された光を導く光導波路１ｂと、上記光導波路１ｂを介して伝達された光が出射され、発光する発光部１ｃとを備えている。
【００２８】
一方、スマートフォン２のディスプレイパネル２ａの動画領域（第１の表示領域）２ｃには、このスマートフォン２に予め記憶されたプログラムに従って夜景などの動画が映されるとともに、イルミネーション用領域（第２の表示領域）２ｂにライトアップ用の表示光が表示される。このイルミネーション用領域２ｂは、動画領域２ｃの画像の動きや変化に対応あるいは連携して、色、輝度、点滅間隔の少なくともいずれか１つが変化する。
【００２９】
上記アクセサリ１の受光部１ａは、上記イルミネーション用領域２ｂ上に載置される。この受光部１ａは、東京スカイツリー（登録商標）の台座になっており、この台座の中央部に形成された透孔１ｄにより特定の入射角の光を通すことにより、入射光５の大半がアクセサリ１の本体内面で全反射するようになっている。
【００３０】
上記イルミネーション用領域２ｂの表示光は、受光部１ａから光導波路１ｂ内に導入される。この入射光５は、光導波路（ここではアクセサリ１の本体内部）１ｂ内を反射して伝達され、アクセサリ１の表面に形成された凹部、凸部、溝、リブリブ、切り込み及び突起などからなる発光部１ｃから出射される。具体的には、東京スカイツリー（登録商標）の表面に形成された鉄柱や展望台を模した凹凸が発光部１ｃとなる。また、アクセサリ１の本体内部で乱反射した一部の光や入射光５の一部は、本体の全体を弱い光で照明する。
【００３１】
このように、発光装飾体１の受光部１ａをディスプレイパネル２ａに表示されている画面の上に載せることで、夜景とともに東京スカイツリー（登録商標）の美しいライティングの雰囲気を楽しめる。
【００３２】
尚、図１乃至図４では省略しているが、アクセサリ１にストラップやキーリング、ナスカンなどの取付具を設けても良い。また、アクセサリ１本体の内部を光導波路１ｂとして用いているが、上記受光部１ａに光学的に結合された切り込みまたは溝などを用いることもできる。
【００３３】
図５（ａ）は、発光部１ｃとしてアクセサリ１の表面に形成された凸部６ａを用いる場合を示している。図示するように、光導波路１ｂ内では光が全反射しつつ伝達されるが、凸部６ａに入射された光は入射角が大きいため外部に出射する。これによって、図７（ａ）、（ｂ）に示すように、アクセサリ１を載置したスマートフォン２のディスプレイパネル２ａの光を利用して、アクセサリ１の発光部１ｃを発光させることができる。この発光状態、すなわち、色や輝度、点滅の間隔などは、イルミネーション用領域２ｂの表示状態によって自由に制御できる。
【００３４】
図５（ｂ）は、発光部１ｃとしてアクセサリ１の表面に形成された凹部６ｂを用いる場合を示している。図示するように、光導波路１ｂ内では光が全反射しつつ伝達されるが、凹部６ｂに入射された光は入射角が大きいので外部に出射する。このように、凹部６ｂを用いてもアクセサリ１の少なくとも一部を発光させることができ、凹凸の組み合わせや深さ、突出の度合いなどで光量や発光状態を制御できる。
【００３５】
図６は、上記発光部１ｃの種々の例を示しており、（ａ）図は断面が四角形のリブ６ｃ、（ｂ）図は断面が四角形の溝６ｄ、（ｃ）図は断面が半円形の溝６ｅ、（ｄ）図は断面が半円形のリブ６ｆをそれぞれ示している。断面が三角形や台形のリブや溝を用いても同様な作用効果が得られる。また、光路に光の進行を阻止する障害物を設けることでも発光させることができる。
【００３６】
図８は、スマートフォンの概略構成を示すブロック図である。このスマートフォンは、Ｗｅｂブラウジングやマルチメディア処理などを実行するアプリケーションプロセッサなどを含む制御部１１、外部との通信を行うための通信ユニット１２、データの入力やアプリケーションの起動を行うためのタッチパネル１３−１、このタッチパネル１３−１による操作を制御部１１に伝達するタッチパネルコントローラ１３−２、スイッチやキー入力による操作を行うための操作部１４、ディスプレイ１５−１に表示を行うためのＬＣＤドライバ１５−２などを備えている。
【００３７】
上記通信ユニット１２は、ＲＦ（Radio Frequency）回路１２−１と、通信や通話に関する処理を行なうベースバンドプロセッサ１２−２とで構成され、制御部１１と通信データのやり取りを行い、アンテナＡＮＴ１で送受信を行う。
【００３８】
また、例えば音声などの音響信号を入力するためのマイクロホン１７、音響信号を出力するためのスピーカ１８、種々のデータやプログラムを記憶する記憶装置１９、外部メモリを接続するための外部メモリインターフェース２０、電源回路２１及びバッテリー２２などを備えている。
【００３９】
更に、ワンセグ用のワンセグチューナー２３、ブルートゥース（Bluetooth、登録商標）や無線ＬＡＮなどの無線でデータの送受信を行なう構内通信網用のBluetooth/WLANユニット２４、アンテナＡＮＴ２、ＡＮＴ３、各種センサ・機器２５及びカメラユニット２６などを更に備えている。
【００４０】
上記各種センサ・機器２５には、発光部２５−１ａと受光部２５−１ｂを有する赤外線センサ２５−１、加速度センサ２５−２、ジャイロ２５−３、ＧＰＳ（Global Positioning System）ユニット２５−４などが含まれている。
【００４１】
上記のような構成において、図９のフローチャートに示すように、まずタッチパネル１３−１や操作部１４のキーを使ってインターネット上の専用動画サイトにアクセスする（ＳＴＥＰ１）。このインターネットへの接続には、制御部１１の制御により上記通信ユニット１２あるいはBluetooth/WLANユニット２４が用いられる。次に、アクセサリ（光装飾体）１の受光部１ａを画面に表示された所定位置上に載置する（ＳＴＥＰ２）。この状態でアプリケーションを起動し、制御部１１の制御によりＬＣＤドライバ１５−２でディスプレイ１５−１を駆動する（ＳＴＥＰ３）。
【００４２】
これによって、ディスプレイ１５−１で動画などの画像が表示され（ＳＴＥＰ４）、画像領域２ｃの動きや変化に対応してイルミネーション用領域２ｂの色や輝度、点滅間隔などが変化する（ＳＴＥＰ５）。そして、アプリケーションが終了か否かを判定し（ＳＴＥＰ６）、終了するまで上記ＳＴＥＰ４、ＳＴＥＰ５の動作を繰り返す。
【００４３】
上記のような構成によれば、ディスプレイ１５−１に表示される街の明かりの変化や車の動きと共にアクセサリ１としての東京スカイツリー（登録商標）のライトアップの色や点滅間隔が変化する。このように、ディスプレイ１５−１の表示光を光源に利用することで、ＬＥＤなどの発光素子やＥＬシートなどの発光体とその電源を不要にしてコストを削減できる。具体的には、ＬＥＤと電池を用いる場合に比べて１／３程度のコストで済む。
【００４４】
しかも、イルミネーションと動画との連携により、単にＬＥＤやＥＬシートを発光させたり、点滅させたりするよりもライティングの雰囲気を盛り上げることができる。これにより、見る者に対して強い印象を与えることができ、装飾性や美感なども優れている。
【００４５】
［変形例］
図１０は、本発明の第１の実施形態の変形例を示すフローチャートである。本変形例は、上述した第１の実施形態において、各種のセンサからの出力があるか否かを判定し（ＳＴＥＰ７）、例えばタッチパネル１３−１でアクセサリ（発光装飾体）１の移動を検知した時に（ＳＴＥＰ８）、イルミネーション用領域２ｂと動画領域２ｃで表示する動画を変更する（ＳＴＥＰ９）ものである。他の基本的な動作は図９と同様である。
【００４６】
本変形例によれば、単にディスプレイパネル２ａ上にアクセサリ１を載置するだけでなく、このディスプレイパネル２ａ上のアクセサリ１を移動させることで、異なる色や輝度で発光する、点滅の間隔が変化するなど、動画の状態を制御したり、表示する動画を変更したりすることができ、動画との連携によりライティングの雰囲気をより盛り上げることができる。もちろん、タッチパネル１３−１でアクセサリ１がイルミネーション用領域２ｂ上に載置されたことを検知してアプリケーションを起動することでライトアップし、アクセサリ１をディスプレイパネル２ａから離したときに終了することもできる。
【００４７】
尚、タッチパネル１３−１ではなく、各種センサ・機器（赤外線センサ２５−１、加速度センサ２５−２、ジャイロ２５−３及びＧＰＳユニット２５−４など）２５の少なくとも一つの出力を利用したり、これらの出力とタッチパネル１３−１と組み合わせたりしても良い。例えば加速度センサ２５−２を利用して傾けたり振動させたりすると色や輝度、点滅間隔が変わる、ジャイロ２５−３やＧＰＳユニット２５−４の機能を利用して現在地からの方向を点滅間隔の長短や色で表示する、あるいは東京スカイツリー（登録商標）までの距離や方向を数値で表示する、など様々な変形が可能である。
【００４８】
もちろん、マイクロホン１７で拾った音声の認識、あるいは周囲の音の音量や周波数に応じて色や輝度、点滅の間隔などを変化させても良く、スピーカ１８を使って音声案内や音楽などの音響信号を組み合わせることもできる。
【００４９】
［第２の実施形態］
図１１は、本発明の第２の実施形態に係る発光装飾体を示している。本第２の実施形態は、発光装飾体としてマスコット（あるいはフィギア）３を用いるものである。（ａ）図に示すように、スマートフォン２のディスプレイパネル２ａには動画領域２ｃとイルミネーション用領域２ｂが設けられている。このイルミネーション用領域２ｂにマスコット３が取り付けられる。
【００５０】
上記マスコット３の足の部分はクリップ７になっており、且つディスプレイパネル２ａとの接触部に受光部３ａが形成されている。この受光部３ａに入射された表示光は、例えばマスコット３の内部に設けられた光導波路３ｂを介して発光部３ｃである目に導かれる。そして、目が発光するようになっている。上記光導波路３ｂには、例えばマスコット３の内部に設けた光ファイバなどを用い、この光ファイバの一端側を受光部３ａ、他端側を発光部３ｃにすることで、受光部３ａである足から発光部３ｃである目に光を導くことができる。
【００５１】
上記のような構成によれば、背景となるアニメーション（動画）の動きに合わせてマスコット３の目が発光したり、目の色が変化したりする。このように、ディスプレイの表示光を光源に利用することで発光素子や電源が不要になりコストを削減できる。しかも、アニメーションなどの動画との連携により、単にＬＥＤを発光させたり、点滅させたりするよりも雰囲気を楽しむことができる。
【００５２】
また、第１の実施の形態と同様に、ディスプレイパネル２ａ上のマスコット３の装着位置を移動させることで、異なる色や輝度で発光する、点滅の間隔が変化するなど、アニメーションや動画の状態を制御したり、表示するアニメーションや動画を変更したりすることができ、アニメーションや動画との連携により雰囲気をより盛り上げることができる。
【００５３】
タッチパネル１３−１に代えて、各種センサ・機器２５の出力を利用したり、タッチパネル１３−１と組み合わせたりしても良いのはもちろんである。また、マイクロホン１７で拾った音声の認識、あるいは周囲の音の音量や周波数に応じて色や輝度、点滅の間隔などを変化させても良く、スピーカ１８を使ってマスコット３の声や動物の鳴き声、音楽などの音響信号を組み合わせることもできる。
【００５４】
［第３の実施形態］
図１２は、本発明の第３の実施形態に係る発光装飾体を示している。本第３の実施形態は、例えばブルートゥース通信機能を用いて種々の機器や玩具のコントロールにスマートフォン２を用いる場合のカバー４である。すなわち、専用のアプリケーションソフトをインストールし、ブルートゥース通信機能を用いた通信によりスマートフォン２をコントローラとして使う際の発光装飾体である。
【００５５】
（ａ）図に示すように、スマートフォン２のディスプレイパネル２ａには動画領域２ｃとイルミネーション用領域２ｂが設けられている。このカバー４には、（ｂ）図及び（ｃ）図に示すように、スマートフォン２の動画領域２ｃが窓部４ｄから目視できるように挿入され、インターネット上の動画、記憶装置１９に予め記憶した動画、及びカメラユニット２６で撮影した動画などの画像を表示するようになっている。一方、上記イルミネーション用領域２ｂに対応する受光部４ａに入射された表示光は、光導波路４ｂを介して発光部４ｃに導かれ、メータ４ｅやインジケータ４ｆを模した部分が発光や点滅、あるいは色が変化したりするようになっている。
【００５６】
上記のような構成によれば、背景となる動画の動きに合わせてメータ４ｅやインジケータ４ｆなどが発光や点滅、あるいは色が変化したりする演出を行うことができる。このように、ディスプレイの表示光を光源に利用することで発光素子や電源を不要にしてコストを削減でき、且つ動画との連携により雰囲気を楽しむことができる。
【００５７】
また、タッチパネル１３−１に代えて、各種センサ・機器２５の出力を利用したり、タッチパネル１３−１と組み合わせたりしても良いのはもちろんである。マイクロホン１７で拾った音の音量や周波数に応じて色や輝度、点滅の間隔などを変化させても良く、スピーカ１８を使って効果音や音楽などの音響信号を組み合わせることもできる。
【００５８】
［第４の実施形態］
図１３は、本発明の第４の実施形態に係る発光装飾体を示している。本第４の実施形態は、タッチパネル１３−１が静電容量方式の場合に好適なものである。静電容量方式では、指を画面に近づけると人体の静電容量にセンサが反応するため、図１３（ａ）に示すように、例えば東京スカイツリー（登録商標）の台座と展望台部分にそれぞれ金属製のリング８−１、８−２を設け、これらのリング８−１、８−２間を金属線８−３で電気的に接続している。
【００５９】
このようにアクセサリ１の部に金属パーツを設けることで、図１３（ｂ）に示すように、展望台部分（リング８−１）を指でつまんでスマートフォン２のディスプレイパネル２ａ上に載置すると、静電容量（電荷）の変化をタッチパネル１３−１で感知して、アクセサリ１を載置した位置を特定することができるので、図１３（ｂ）に示すように、載置した位置をイルミネーション用領域２ｂに設定できる。
【００６０】
このような構成であっても上述した第１乃至第３の実施形態と同様な作用効果が得られる。しかも、アクセサリ１をディスプレイパネル２ａに表示している例えば地図画面のどこに載置しても、この載置した位置をイルミネーション用領域２ｂにしてライトアップできる。
【００６１】
［第５の実施形態］
図１４は、本発明の第５の実施形態に係る発光装飾体を示している。本第５の実施形態は、スマートフォン２に内蔵されているマイクロホン１７（音響センサなどでも良い）を用いてイルミネーションの発光を制御するものである。
【００６２】
すなわち、アクセサリ１をディスプレイパネル２ａ上に載置した状態で、音響信号、例えば人間の音声や手を叩く音が入力されると、マイクロホン１７で拾った音声の認識、あるいは音の音量や周波数、拾った音の数などに応じてイルミネーション用領域２ｂの色や輝度、点滅の間隔などを変化させるようにしている。このような構成であっても上述した第１乃至第４の実施形態と同様な作用効果が得られるのはもちろんである。
【００６３】
［第６の実施形態］
図１５は、本発明の第６の実施形態に係る発光装飾体を示している。本第６の実施形態は、（ａ）図に示すように、スマートフォン２を例えば半球形の装飾台９の上面に形成した収容部９ａに収容するとともに、このスマートフォン２のディスプレイパネル２ａ上に発光装飾体、本例ではイルカのマスコット３を載置するものである。
【００６４】
上記装飾台９は底部付近に重心があり、装飾台９を揺らすとユラユラと動き、この動きをスマートフォン２のジャイロ２５−３や加速度センサ２５−２で検知し、ディスプレイパネル２ａで表示される例えば水面（波）や水中の景観が揺れ動くようになっている。また、イルカのマスコット３は、上述した第２の実施形態と同様に目が発光したり、透光性の部材で形成することにより、入射した揺らいだ水面や水中の景観に応じて揺らぐように発光したりするようになっている。
【００６５】
また、上記イルカのマスコット３は、上述した各実施形態と同様に受光部、光導波路及び発光部を有し、イルミネーション用領域２ｂの発光の色や輝度、点滅の間隔などが揺れるように変化するようにしている。このような構成であっても上述した第１乃至第５の実施形態と同様な作用効果が得られるのはもちろんである。
【００６６】
［第７の実施形態］
図１６は、本発明の第７の実施形態に係る発光装飾体を示している。本第７の実施形態は、いわゆるモグラ叩きゲームになっており、例えば第４の実施形態と同様に金属製のリング８−１、８−２を有する構成のマスコット、ここではモグラ１０−１、１０−２、１０−３、…をディスプレイパネル２ａ上に自由に載置し、イルミネーション用領域２ｂで発光させるようにしている。モグラ１０−１、１０−２、１０−３、…を載置した位置は、タッチパネル１３−１で特定することができる。
【００６７】
そして、例えば頭部が発光したモグラに手や指で触れると、それがタッチパネル１３−１で検知され、発光が停止するようになっている。このような構成であっても実質的に上述した第１乃至第６の実施形態と同様な作用効果が得られる。
【００６８】
尚、本発明は上述した第１乃至第７の実施形態や変形例に限定されるものではなく、要旨を逸脱しない範囲で種々変形して実施することが可能である。例えば、上記実施形態では、携帯ストラップやキーホルダ、マスコットやフィギア、スマートフォンのカバーなどを例に取って説明したが、例えばペンダントやブレスレットなど他のアクセサリを兼ねるものでも良い。
【００６９】
また、発光装飾体の表面に凹部、凸部、溝、リブリブ、切り込み及び突起などを形成して発光部１ｃに用いたが、光を散乱させる散乱層や、屈折率が異なる部材を積層して光が外部に漏洩するようにしても良い。
【００７０】
更に、ディスプレイパネルに動画やアニメーションを表示する場合を例に取って説明したが、静止画で明るさが変化するものなどにも応用できる。
【符号の説明】
【００７１】
１    アクセサリ（光装飾体）
１ａ    受光部
１ｂ    光導波路
１ｃ    発光部
１ｄ    透孔
２    スマートフォン
２ａ    ディスプレイパネル
２ｂ    イルミネーション用領域（第２の表示領域）
２ｃ    動画領域（第１の表示領域）
３    マスコット
３ａ    受光部
３ｂ    光導波路
３ｃ    発光部
４    カバー
４ａ    受光部
４ｂ    光導波路
４ｃ    発光部
４ｄ    窓部
４ｅ    メータ
４ｆ    インジケータ
５    入射光
６ａ    凸部
６ｂ    凹部
６ｃ    四角形のリブ
６ｄ    四角形の溝
６ｅ    半円形の溝
６ｆ    半円形のリブ
７    クリップ
８−１、８−２    金属製のリング
８−３    金属線
９    装飾台
９ａ    収容部
１０−１、１０−２、１０−３、…    モグラ
１１    制御部（アプリケーションプロセッサ）
１２    通信ユニット
１２−１    ＲＦ回路
１２−２    ベースバンドプロセッサ
１３−１    タッチパネル
１３−２    タッチパネルコントローラ
１４    操作部
１５−１    ディスプレイ
１５−２    ＬＣＤドライバ
１７    マイクロホン
１８    スピーカ
１９    記憶装置
２０    外部メモリインターフェース
２１    電源回路
２２    バッテリー
２３    ワンセグチューナー
２４    Bluetooth/WLANユニット
２５    各種センサ・機器
２５−１    赤外線センサ
２５−１ａ    発光部
２５−１ｂ    受光部
２５−２    加速度センサ
２５−３    ジャイロ
２５−４    ＧＰＳユニット
２６    カメラユニット
ＡＮＴ１〜ＡＮＴ３    アンテナ
【図１】
2014037063.tif 000003
【図２】
2014037063.tif 000004
【図３】
2014037063.tif 000005
【図４】
2014037063.tif 000006
【図５】
2014037063.tif 000007
【図６】
2014037063.tif 000008
【図７】
2014037063.tif 000009
【図８】
2014037063.tif 000010
【図９】
2014037063.tif 000011
【図１０】
2014037063.tif 000012
【図１１】
2014037063.tif 000013
【図１２】
2014037063.tif 000014
【図１３】
2014037063.tif 000015
【図１４】
2014037063.tif 000016
【図１５】
2014037063.tif 000017
【図１６】
2014037063.tif 000018